(57)【要約】  【課題】  ろ過機能が優れ、しかも、ろ材からの濁質剥離を円滑に行えるろ過装置を提供する。  【解決手段】  ろ過塔１Ａ内に有孔板で成るろ材支持床２と、該ろ材支持床２に対してろ過操作時に近接し、逆洗時に後退するピストン体３で区画したろ過室１を設ける。そして、ろ過室１に、芯紐４ａの周側に濁質の捕捉糸４ｂを突出させて構成した、適宜数のろ過材４を収容する。該ろ過材４の芯紐４ａの下端は前記ろ材支持床２に、上端は前記ピストン体３にそれぞれ止着する。【選択図】    図１
2011194355.tif 000002
【特許請求の範囲】
【請求項１】
ろ過塔内に有孔板で成るろ材支持床と、該ろ材支持床に対してろ過操作時に近接し、逆洗時に後退するピストン体で区画したろ過室を設け、該ろ過室に、芯紐の周側に濁質の捕捉糸を突出させて構成した、適宜数のろ過材を収容し、該ろ過材の芯紐の下端を前記ろ材支持床に、上端を前記ピストン体にそれぞれ止着した、ろ過装置。
【発明の詳細な説明】
【技術分野】
【０００１】
本発明は、廃水や用水から濁質を捕捉するために用いるろ過装置に関するものである。
【背景技術】
【０００２】
植物繊維や樹脂繊維で成り、芯紐の周側に濁質の捕捉糸に突出させて設けた繊維ろ材を、前記芯紐の下端を、多孔板で構成するろ材支持床に止着して、ろ過室に収容した構造のろ過装置が知られている（例えば、特許文献１）が、このろ過装置は、繊維ろ材の自由端側を原水の上流側に配するため圧密がかかり易く、また、「クセ」がついてしまい耐久性に難がある。
【０００３】
このため、前記の自由端側の芯紐の他端を前記多孔板に相対する他の多孔板に止着して芯紐のたるみを利用して圧密調整を図り、「クセ」の発生を防ぐものが本出願人によって提案された（特許文献２）。
【先行技術文献】
【特許文献】
【０００４】
【特許文献１】特許第２８０３０４１号公報
【特許文献２】特開２００２−４５６１２号公報
【発明の概要】
【発明が解決しようとする課題】
【０００５】
特許文献２の構造のものは、繊維ろ材の芯紐の両端を固定状態におき、ろ過操作時には、芯紐のたるみ分を利用して濁質捕捉に必要な圧密状態を得るようにしたものであるが、原水の、ろ過室への注入によって得られる該圧密状態は当該原水に必ずしも適した状態のものとはいえず、個々の原水に対応できる装置が望まれている。
【０００６】
本発明は、当該装置の一つとして提案するものである。
【課題を解決するための手段】
【０００７】
ろ過塔内に有孔板で成るろ材支持床と、該ろ材支持床に対してろ過操作時に近接し、逆洗時に後退するピストン体で区画したろ過室を設け、該ろ過室に、芯紐の周側に濁質の捕捉糸を突出させて構成した、適宜数のろ過材を収容し、該ろ過材の芯紐の下端を前記ろ材支持床に、上端を前記ピストン体にそれぞれ止着した構成としたものである。
【発明の効果】
【０００８】
本発明によれば、繊維ろ材の上端側を、該上端側を止着したピストン体を移動させて下端側のろ材支持床に近接させて圧密状態に置くものであるから、均一な圧密状態が得られ、従って、ろ過機能の優れた装置を提供できる。また、逆洗時には芯紐のたるみの生じることのない、従って、逆洗水がろ材各部に均一に接触して濁質の剥離を円滑に行うことのできる、逆洗効果の優れたろ過装置を提供できる。
【図面の簡単な説明】
【０００９】
【図１】各部材の配置関係を示す断面図。
【図２】ろ過操作時の断面図。
【図３】逆洗操作時の断面図。
【実施例】
【００１０】
図面は本発明に係るろ過装置の一実施例を示し、図中、１はろ過室で、ろ過室１はろ過塔１Ａの内壁１Ａ´と、該ろ過塔１Ａの下部側内に敷設した、有孔板で成るろ材支持床２および該ろ材支持床２に相対して進退するピストン体（摺動体）３で区画して構成する。
【００１１】
このろ過室１内には、各一端を前記ろ材支持床２とピストン体３に止着した、適宜数の繊維ろ材４を収設し、該繊維ろ材４に接して濁質を捕捉される原水の注入口５を前記ろ過塔１Ａの周側に設けてある。
【００１２】
なお、繊維ろ材４は、一端を前記ろ材支持床２に、他端を前記ピストン体３にそれぞれ止着した芯紐４ａに無数の、濁質捕捉糸４ｂ，…を取付けてその周側に突設して構成し、植物繊維や樹脂繊維で成るものである（公知）。
【００１３】
前記ピストン体３は、有孔体で成る基台１３と上、下の仕切り材６，７を、第一、第二の連結筒８，９を介して積層状に組合わせて成るもので、基台１３は、該基台１３を介して上側に形成される整流室１１（図２参照）と、下側に形成される前記ろ過室１とを連通する基台１３に設けた多数の孔で構成した連通路１２を備えて成り、その下部には、止着手段１０を用いて前記繊維ろ材４の上端を取付け、その降下に伴って縮小されるろ過室１内のろ材４を圧密にする。
【００１４】
下側仕切り材７は、前記第一連結筒８を介して前記基台１３と一体的にしたもので、基台１３と前記ろ過塔１Ａの内壁１Ａ´とで前記整流室１１を構成する。
【００１５】
整流室１１はピストン体３の移動に伴って位置を変え、ろ過操作時にはろ過塔１Ａに備えた前記注入口５に連通して、注入されたろ過原水を整流してろ過室１に導き、逆洗時にはろ過塔１Ａの上方に備えた逆洗水用排出口１４に連通して逆洗水の排出路と成る。
【００１６】
また、整流室１１は、前記ピストン基台１３と下側仕切り材７間に軸線上に位置する前記第一連結筒８の周側に並設した透孔１５，…の存在により、注入口５より注入されたろ過原水が、該整流室１１側からろ過室１へと均一に流れ込むようにして、一方側に片寄った水に流れによって形成される所謂短絡流の発生を防ぐようにしてある。
【００１７】
前記上側仕切り材６は、第二連結筒９を介して前記下側仕切り材７と一体的となってピストン体３を構成し、ピストン体３は、ろ過塔１Ａの上端に設けた圧密用水に注入口１６から注入される圧密用水の圧力をこの上側仕切り材６部で受けて降下し、繊維ろ材４の圧密操作を行う。
【００１８】
ろ過塔１Ａの上端部に設けた、圧密用水の注入口１６を通じて外部と連通する圧密用水室１７は、上側仕切り材６すなわちピストン体３の上下方向の移動に従って伸縮し、ろ過塔１Ａの上端部側に設けた圧力計１８によって室内の水圧が検出されるようになっている。そして、該水圧は、原水注入口５から予め設定した範囲で注入される圧力と比較して、注入口１６に備えた圧力調整孔１９の圧力の、必要に応じた取出し（圧密用水の排出）が行われ、濾過室１側の水圧が圧密用水室１７の水圧より小さい状態でろ過操作が行われるようになっている。
【００１９】
前記ろ材支持床２の下側の、ろ過塔１Ａの下部には第二整流室２２が設けられ、第二整流室２２はろ過塔１Ａの下端部に設けた処理水の取出口と洗浄水の注入口を兼ねる注排出口２０と、洗浄用エアのエア注入口２１を介して外部と連通する。
【００２０】
この第二整流室２２内で注排出口２０から注入される洗浄水とエア注入口２１から注入されるエアが混合されてろ過室１内に流れ込み、繊維ろ材４の洗浄操作が行われる。
【００２１】
そして、圧密用水室１７に、圧密ポンプｐにより圧密用水（ろ過原水と同じものを用いている）を圧密用水注入口１６を通じて注入すると、上側仕切り材６で水圧を受けたピストン体３は降下して、基台１３において繊維ろ材４を圧密にする。このときの圧密用水室１７の圧力は圧力計１８によって測られ、その圧力が過ぎると、圧力調整孔１９に連通する開度調節付バルブにより逃がされる。
【００２２】
繊維ろ材４の圧密時には、ろ材４の芯紐４ａの上端側はピストン体３側に、下端側は多孔板２側に止着してあるので均一に縮小して圧密され、この圧密状態時に、ピストン体３の降下に伴って降下した整流室１１に面した位置に設けた原水注入口５を通じてろ過原水を整流室１１に注入すると、該ろ過原水は整流されて連通路１２を通じてろ過室１に注入され、ろ過原水は繊維ろ材４の捕捉糸４ｂに接してろ過操作が行われ、ろ過水は、処理水として注排出口２０を経て取り出される。
【００２３】
なお、ろ過流量として注排出口２０からの水量を一定に保つようにろ過ポンプをインバータ制御している。
【００２４】
そして、逆洗時には、逆洗ポンプによって第二整流室２２を通して逆洗水をろ過室１内に注入すると、ピストン体３はその圧力で上昇すると共に、該ピストン体３に取付けた繊維ろ材の芯紐４ａの上端も上昇し、その結果、ピストン体３とろ材支持床２間で芯紐４ａは設定したテンション状態に置かれ、第二整流室２２を通してろ過室１内に注入されたエアを含む逆洗水はろ過室１に移動に伴って伸展した繊維ろ材４の捕捉糸４ｂ，…によく接触し、濁質を剥離して、逆洗水用排出口１４を経てろ過塔外部に排出させる。
【００２５】
なお、上、下仕切り材６，７および基台１３の円形の周側にはゴム材を突設し、該ゴム材をろ過塔１Ａの内壁１Ａ´に接触させて、該仕切り材６，７等を介する上下間を水密にするようにしているが、厳密な意味での水密機能は必ずしも要しない。
【００２６】
なお、図示３０は原水用の注入ポンプ、３１は逆洗水注入用のポンプである
【符号の説明】
【００２７】
１          ろ過室
１Ａ        ろ過塔
２          ろ材支持床
３          ピストン体
４          ろ過材
４ａ        芯紐
４ｂ        捕捉糸
【図１】
2011194355.tif 000003
【図２】
2011194355.tif 000004
【図３】
2011194355.tif 000005